(57)【要約】【課題】  ヘルメット内部の熱気を防止又は軽減するため従来種々のものがあるが、小さなファンを内蔵させたようなもは、回転機器や電池その他の部品により、全体が重くなり違和感がある。また、内部に発泡スチロールのような断熱材を挿入することも考えられるが、これも効果はあまり期待できない。  【解決手段】  気泡性緩衝シートの表裏両面にアルミシートを貼着したものであって、人間の頭部に適合するよう成型したもの、及びヘルメットにあっては、気泡性緩衝シートの表裏両面にアルミシートを貼着したものであって、人間の頭部に適合するよう成型したものを内部に装着したものである。【選択図】  図４
2006037253.tif 000002
【特許請求の範囲】
【請求項１】
気泡性緩衝シートの表裏両面にアルミシートを貼着したものであって、人間の頭部に適合するよう成型したことを特徴とする帽子内装着用断熱具。
【請求項２】
気泡性緩衝シートの表裏両面にアルミシートを貼着したものであって、人間の頭部に適合するよう成型したものを内部に装着したことを特徴とするヘルメットい。
【発明の詳細な説明】
【技術分野】
【０００１】
本発明は、帽子内装着用断熱具及びヘルメットに関するものである。
【背景技術】
【０００２】
ヘルメットは工事現場で、事故による頭部への損傷を防止するため被るもので義務付けられているところもある。安全のためには必須のものであるが、夏場等はその内部は非常に暑くなる。直射日光のあたる場所などでは内部の昇温によって意識が朦朧とする場合もある。
【０００３】
このような熱気を防止又は軽減するため、小さなファンを内蔵させたようなものも市販されているが、回転機器や電池その他の部品により、全体が重くなり違和感がある。更に、そのような機器のため、事故の際にはより危険が増大することもある。
【０００４】
また、内部に発泡スチロールのような断熱材を挿入することも考えられるが、これも効果はあまり期待できない。
【発明の開示】
【発明が解決しようとする課題】
【０００５】
そこで、簡単な装置でヘルメット内部の温度を下げる装着具を提供する。
【課題を解決するための手段】
【０００６】
以上のような状況に鑑み、本発明者は鋭意研究の結果本発明帽子内装着用断熱具及びヘルメットを完成させたものであり、その特徴とするところは、帽子内装着用断熱具にあっては、気泡性緩衝シートの表裏両面にアルミシートを貼着したものであって、人間の頭部に適合するよう成型した点にあり、ヘルメットにあっては、気泡性緩衝シートの表裏両面にアルミシートを貼着したものであって、人間の頭部に適合するよう成型したものを内部に装着した点にある。
【０００７】
ここで、気泡性緩衝シートとは、２枚（それぞれラミネートしたものでもよい）のフィルム間に多数の気泡を設けたもので、緩衝材として包装容器の内側や、外側に詰められているものである。製法は特に限定するものではなく自由であるが、１例を示すと、多数のエンボスを形成したエンボスフィルムと平面フィルムとをラミネートするものである。エンボスフィルム同士を貼付したものでもよい。
【０００８】
この気泡性緩衝シートの気泡のサイズや個数、密度、フィルムの厚み、フィルムの材質等は本発明には直接は関係なく自由である。よって、市販のものを適当に選択して使用すればよい。例えば、気泡サイズが５〜２０ｍｍ程度のものである。また、この気泡性緩衝シートは複数枚積層したものを用いてもよい。即ち、複数枚積層した後、後述するアルミシートを貼るということである。
【０００９】
次にこの気泡性緩衝シートの表裏両面にアルミシートを貼付する。これは、どのような方法でもよい。接着剤を塗布しながら順次貼りつける方法が簡単である。また、端部はヒートシール法で加熱融着して固定するのが好適である。
【００１０】
このアルミ貼付シートを人間の頭部の形状に成型するのであるが、アルミの保形性と、内部フィルムの柔軟性により非常に簡単である。製法の１例を示せば、所定の大きさの円形（楕円その他）に裁断し、１又は複数箇所切り込みを入れ、その部分を切り欠く。切り欠いた部分を接着すれば帽子のような形状になる。頭部に適合するといっても、おおよそでよくきっちりとする必要はない。
接着した部分をアルミ箔で貼ったり、単なる円でなく他の形状にしたりすることは自由である。
【００１１】
本発明の帽子内装着用断熱具は、帽子の内部に装着して使用するもので、帽子自体はどのようなものでもよい。ここでいう帽子は工事用又は単車用のヘルメット等を含もので、頭部に被るものすべてを指す。よって、帽子の材質も問わない。麦わら、毛糸その他何でもよい。
【００１２】
本発明ヘルメットは、この帽子内装着用断熱具を内部に固着したものである。固着の方法は自由である。接着方式でも、ホック式でもよい。また、通常のヘルメットは内部に空間を持たせるため頭部に直接触れる支持ベルトとヘルメットの間隙に挿入してもよいし、内部にクッションのために発泡スチロールを入れているものでは、その変わり又は追加してその部分に挿入してもよい。
【００１３】
要するに、上記した本発明断熱具をヘルメットの内部に入れさえすればよいのである。
【００１４】
また、本発明の断熱具の個々の気泡を大きくして厚みを増すか、断熱具自体を複数枚重ねて使用することによって、クッション吸収効果も持たせることができる。勿論、他のクッション材や他の断熱材と併用してもよい。
【発明の効果】
【００１５】
本発明帽子内装着用断熱具及びヘルメットには次のような利点がある。
（１）  発泡スチロール製の従来の断熱具に比べて、空気層が十分に保持されているため、より大きな断熱効果を有している。
（２）  アルミ層が表裏両面に存在するため、放射熱や輻射熱が大きくカットされている。
（３）  クッション性も有しているため、ショック吸収を兼ねることとなる。
【発明を実施するための最良の形態】
【００１６】
以下実施例に沿ってより詳細に説明する。
【実施例】
【００１７】
図１は、本発明に使用する気泡性緩衝シート１の１例を示すもので、エンボスシート２と平面フィルム３を貼付するところを示す。
図２は、アルミシートを貼付した積層シート４を裁断したところを示す。この図では４ヶ所に切欠５を入れている。また、ヘルメットに内装するバンドに合うように、２ヶ所に突起部６を設けている。この状態で切欠部５を詰めて接着して帽子のような形状に成型する。切欠部は接着剤で接着するか、接着剤付きのアルミ箔で固着する。そして、できたものが図３の帽子状のもの７（本発明の帽子内装着用断熱具）である。
【００１８】
図４は、本発明ヘルメット８の１例を示す底面図である。内部にベルト９が見えている。そのベルト９とヘルメット本体との中間位置に図３に示す帽子内装着用断熱具７が挿入されている。単に挿入するだけでも落ちることはないが、固定するようにしてもよい。
【図面の簡単な説明】
【００１９】
【図１】本発明に使用する気泡性緩衝シートの１例を製造する工程を示す斜視図である。
【図２】アルミシートを貼付した積層シートを裁断したところを示す平面図である。
【図３】本発明帽子内装着用断熱具の１例を示す斜視図である。
【図４】本発明ヘルメットの１例を示す底面図である。
【符号の説明】
【００２０】
１  気泡性緩衝シート
２  エンボスシート
３  平面フィルム
４  積層シート
５  切欠
６  突起部
７  本発明帽子内装着用断熱具
８  ヘルメット
９  ベルト
【図１】
2006037253.tif 000003
【図２】
2006037253.tif 000004
【図３】
2006037253.tif 000005
【図４】
2006037253.tif 000006